(57)【特許請求の範囲】
【請求項１】
各色のレーザ光を出射するレーザ光源装置と、
このレーザ光源装置から出射されたレーザ光を映像信号に基づいて変調する光変調素子と、
この光変調素子により形成された変調レーザ光をスクリーンに投写する投写光学系と、
前記レーザ光源装置および前記光変調素子を制御する制御部と、
前記レーザ光源装置、前記光変調素子、前記投写光学系、および前記制御部が収容される筐体と、
少なくとも前記投写光学系を備え、前記筐体に対して出し入れ可能に設けられた可動体と、を有した画像表示装置であって、
前記画像表示装置は携帯型の情報処理装置に形成されたドライブベイに収容されるものであり、
前記可動体が前記筐体から引き出された使用状態でオンとなる第１のスイッチと、
使用者による操作部の操作に応じてオンとなる第２のスイッチと、を有し、
前記第１のスイッチおよび前記第２のスイッチがともにオンとなる場合に、前記レーザ光源装置からレーザ光が出射されるようにしたことを特徴とする画像表示装置。
【請求項２】
前記第１のスイッチは、前記可動体および前記筐体の一方に設けられ、前記筐体に対する前記可動体の出し入れ動作に伴って、前記可動体および前記筐体の他方に接触する接触子が動作するのに応じてオンオフされることを特徴とする請求項１に記載の画像表示装置。
【請求項３】
前記第２のスイッチの操作部は、前記可動体において、その可動体が前記筐体内に格納された格納状態で前記筐体に覆われるとともに、前記可動体が前記筐体から引き出された使用状態で露出する位置に設けられたことを特徴とする請求項１若しくは請求項２に記載の画像表示装置。
【請求項４】
前記可動体は、少なくとも前記投写光学系を備えた第１のユニットと、この第１のユニットを回動可能に支持する第２のユニットとで構成され、この第２のユニットに前記制御部および前記操作部が設けられたことを特徴とする請求項１乃至請求項３のいずれかに記載の画像表示装置。
【発明の詳細な説明】
【技術分野】
【０００１】
本発明は、光源に半導体レーザを用いた画像表示装置に関し、特に携帯型の電子機器に内蔵するのに適した画像表示装置に関するものである。
【背景技術】
【０００２】
近年、画像表示装置の光源に半導体レーザを用いる技術が注目されている。この半導体レーザは、従来から画像表示装置に多用されてきた水銀ランプに比較して、色再現性がよい点、瞬時点灯が可能である点、長寿命である点、高効率で消費電力を低減することができる点、ならびに小型化が容易である点など、種々の利点を有している。
【０００３】
このような半導体レーザを用いた画像表示装置の利点は、携帯型の電子機器に内蔵する場合に都合が良く、例えば半導体レーザを用いた画像表示装置を携帯電話端末に内蔵する技術が知られている（特許文献１参照）。
【先行技術文献】
【特許文献】
【０００４】
【特許文献１】特開２００７−３１６３９３号公報
【発明の概要】
【発明が解決しようとする課題】
【０００５】
さて、光源に半導体レーザを用いた画像表示装置では、レーザ光が長時間目に入ると障害を与えることから、取り扱いに配慮するように使用者に注意を促す必要があるが、使用者が知らないうちにスイッチが誤ってオンとなってレーザ光が出射されると、短時間ではあるがレーザ光が目に入ることもあり、このような事態も避けることが望ましい。
【０００６】
特に、画像表示装置をノート型の情報処理装置に内蔵して使用時に引き出す構成とすると利便性を高めることができ、このような構成のものでは、格納状態で筐体に隠れる位置に操作ボタンを配置すると、他の物との接触による操作ボタンの誤操作を防止することができるが、その反面、筐体内に格納したときに異物が挟まって操作ボタンが誤操作されることも考えられる。このような問題に対しては、格納状態において操作ボタン上に隙間を確保すればよいが、情報処理装置の筐体を薄く形成する都合から、操作ボタン上に隙間を十分に確保することができないという問題があった。
【０００７】
本発明は、このような従来技術の問題点を解消するべく案出されたものであり、その主な目的は、不使用時にスイッチが誤ってオンとなってレーザ光が出射されることを確実に防止することができるように構成された画像表示装置を提供することにある。
【課題を解決するための手段】
【０００８】
本発明の画像表示装置は、各色のレーザ光を出射するレーザ光源装置と、このレーザ光源装置から出射されたレーザ光を映像信号に基づいて変調する光変調素子と、この光変調素子により形成された変調レーザ光をスクリーンに投写する投写光学系と、前記レーザ光源装置および前記光変調素子を制御する制御部と、前記レーザ光源装置、前記光変調素子、前記投写光学系、および前記制御部が収容される筐体と、少なくとも前記投写光学系を備え、前記筐体に対して出し入れ可能に設けられた可動体と、を有した画像表示装置であって、前記画像表示装置は携帯型の情報処理装置に形成されたドライブベイに収容されるものであり、前記可動体が前記筐体から引き出された使用状態でオンとなる第１のスイッチと、使用者による操作部の操作に応じてオンとなる第２のスイッチと、を有し、前記第１のスイッチおよび前記第２のスイッチがともにオンとなる場合に、前記レーザ光源装置からレーザ光が出射されるようにした構成とする。
【発明の効果】
【０００９】
本発明によれば、可動体が筐体から引き出された状態で操作部が操作された場合にのみ、レーザ光が出射される。このため、異物の挟み込みなどにより操作部が誤操作されても、レーザ光が出射されることはなく、不使用時にレーザ光が出射されることを確実に防止することができる。
【図面の簡単な説明】
【００１０】
【図１】本発明による画像表示装置１をノート型の情報処理装置２に内蔵した例を示す斜視図
【図２】光学エンジンユニット１３の概略構成図
【図３】緑色レーザ光源装置２２におけるレーザ光の状況を示す模式図
【図４】画像表示装置１を示す斜視図
【図５】画像表示装置１の概略構成を示すブロック図
【図６】使用を開始する際の第１のスイッチ１０６および第２のスイッチ１０７の出力信号の状況を示すタイミング図
【図７】画像表示装置１を分解して示す斜視図
【図８】第１のスイッチ１０６を示す斜視図
【発明を実施するための形態】
【００１１】
前記課題を解決するためになされた第１の発明は、各色のレーザ光を出射するレーザ光源装置と、このレーザ光源装置から出射されたレーザ光を映像信号に基づいて変調する光変調素子と、この光変調素子により形成された変調レーザ光をスクリーンに投写する投写光学系と、前記レーザ光源装置および前記光変調素子を制御する制御部と、前記レーザ光源装置、前記光変調素子、前記投写光学系、および前記制御部が収容される筐体と、少なくとも前記投写光学系を備え、前記筐体に対して出し入れ可能に設けられた可動体と、を有した画像表示装置であって、前記画像表示装置は携帯型の情報処理装置に形成されたドライブベイに収容されるものであり、前記可動体が前記筐体から引き出された使用状態でオンとなる第１のスイッチと、使用者による操作部の操作に応じてオンとなる第２のスイッチと、を有し、前記第１のスイッチおよび前記第２のスイッチがともにオンとなる場合に、前記レーザ光源装置からレーザ光が出射されるようにした構成とする。
【００１２】
これによると、可動体が筐体から引き出された状態で操作部が操作された場合にのみ、レーザ光が出射される。このため、異物の挟み込みなどにより操作部が誤操作されても、レーザ光が出射されることはなく、不使用時にレーザ光が出射されることを確実に防止することができると共に、携帯型の情報処理装置の利便性を高めることができる。この場合、情報処理装置の筐体を薄く形成する都合から、収容スペースを大きく確保することができないが、本発明では、異物の挟み込みによる操作部の誤操作を防止するために操作部の周囲に隙間を大きく確保する必要がないため、設計自由度を高めることができる。
【００１３】
また、第２の発明は、前記第１の発明において、前記第１のスイッチは、前記可動体および前記筐体の一方に設けられ、前記筐体に対する前記可動体の出し入れ動作に伴って、前記可動体および前記筐体の他方に接触する接触子が動作するのに応じてオンオフされる構成とする。
【００１４】
これによると、筐体に対する可動体の出し入れ動作に応じて第１のスイッチを確実にオンオフ動作させることができる。
【００１５】
また、第３の発明は、前記第１若しくは第２の発明において、前記第２のスイッチの操作部は、前記可動体において、その可動体が前記筐体内に格納された格納状態で前記筐体に覆われるとともに、前記可動体が前記筐体から引き出された使用状態で露出する位置に設けられた構成とする。
【００１６】
これによると、可動体が筐体から引き出された状態で操作部が操作可能となり、可動体が筐体内に格納された格納状態では操作ができないため、他の物との接触による操作部の誤操作を防止することができる。
【００１７】
また、第４の発明は、前記第１乃至第３の発明において、前記可動体は、少なくとも前記投写光学系を備えた第１のユニットと、この第１のユニットを回動可能に支持する第２のユニットとで構成され、この第２のユニットに前記制御部および前記操作部が設けられた構成とする。
【００１８】
これによると、光学エンジンユニットからのレーザ光の投写角度を調整して、スクリーン上に適切に投写することができる。そして、制御ユニットに操作部を設けたため、操作部を操作する際にぐらつかず、操作部の操作が容易になる。また、制御ユニットに制御部および操作部を設けたため、操作部により動作する第２のスイッチと制御部との間の配線が容易になる。
【００２１】
以下、本発明の実施の形態を、図面を参照しながら説明する。
【００２２】
図１は、本発明による画像表示装置１をノート型の情報処理装置２に内蔵した例を示す斜視図である。情報処理装置２の本体３には、光ディスク装置などの周辺機器が取り替え可能に収容される収容スペース、いわゆるドライブベイが、キーボード４の裏面側に形成されており、このドライブベイに画像表示装置１が取り付けられている。
【００２３】
画像表示装置１は、筐体１１と、筐体１１に対して出し入れ可能に設けられた可動体１２と、を有している。可動体１２は、レーザ光をスクリーンＳに投写するための光学部品が収容された光学エンジンユニット（第１のユニット）１３と、この光学エンジンユニット１３内の光学部品を制御するための基板などが収容された制御ユニット（第２のユニット）１４とで構成され、光学エンジンユニット１３が上下方向に回動可能に制御ユニット１４に支持されている。
【００２４】
この画像表示装置１は、不使用時に可動体１２が筐体１１内に格納され、使用時には可動体１２が筐体１１から引き出され、光学エンジンユニット１３を回動させて、光学エンジンユニット１３からのレーザ光の投写角度を調整することで、レーザ光をスクリーンＳ上に適切に投写させることができる。
【００２５】
図２は、光学エンジンユニット１３の概略構成図である。この光学エンジンユニット１３は、緑色レーザ光を出力する緑色レーザ光源装置２２と、赤色レーザ光を出力する赤色レーザ光源装置２３と、青色レーザ光を出力する青色レーザ光源装置２４と、映像信号に応じて各レーザ光源装置２２〜２４からのレーザ光の変調を行う液晶反射型の光変調素子２５と、各レーザ光源装置２２〜２４からのレーザ光を反射させて光変調素子２５に照射させるとともに光変調素子２５から出射された変調レーザ光を透過させる偏光ビームスプリッタ２６と、各レーザ光源装置２２〜２４から出射されるレーザ光を偏光ビームスプリッタ２６に導くリレー光学系２７と、偏光ビームスプリッタ２６を透過した変調レーザ光をスクリーンＳに投射する投射光学系２８と、を備えている。
【００２６】
この光学エンジンユニット１３は、いわゆるフィールドシーケンシャル方式でカラー画像を表示するものであり、各レーザ光源装置２２〜２４から各色のレーザ光が時分割で順次出力され、各色のレーザ光による画像が視覚の残像効果によってカラー画像として認識される。
【００２７】
リレー光学系２７は、各レーザ光源装置２２〜２４から出射される各色のレーザ光を平行ビームに変換するコリメータレンズ３１〜３３と、コリメータレンズ３１〜３３を通過した各色のレーザ光を所要の方向に導く第１および第２のダイクロイックミラー３４，３５と、ダイクロイックミラー３４，３５により導かれたレーザ光を拡散させる拡散板３６と、拡散板３６を通過したレーザ光を収束レーザに変換するフィールドレンズ３７と、を備えている。
【００２８】
投射光学系２８からスクリーンＳに向けてレーザ光が出射される側を前側とすると、青色レーザ光源装置２４から青色レーザ光が後方に向けて出射され、この青色レーザ光の光軸に対して緑色レーザ光の光軸および赤色レーザ光の光軸が互いに直交するように、緑色レーザ光源装置２２および赤色レーザ光源装置２３から緑色レーザ光および赤色レーザ光が出射され、この青色レーザ光、赤色レーザ光、および緑色レーザ光が、２つのダイクロイックミラー３４，３５で同一の光路に導かれる。すなわち、青色レーザ光と緑色レーザ光が第１のダイクロイックミラー３４で同一の光路に導かれ、青色レーザ光および緑色レーザ光と赤色レーザ光が第２のダイクロイックミラー３５で同一の光路に導かれる。
【００２９】
第１および第２のダイクロイックミラー３４，３５は、表面に所定の波長のレーザ光を透過および反射させるための膜が形成されたものであり、第１のダイクロイックミラー３４は、青色レーザ光を透過するとともに緑色レーザ光を反射させる。第２のダイクロイックミラー３５は、赤色レーザ光を透過するとともに青色レーザ光および緑色レーザ光を反射させる。
【００３０】
これらの各光学部材は、筐体４１に支持されている。この筐体４１は、各レーザ光源装置２２〜２４で発生した熱を放熱する放熱体として機能し、アルミニウムや銅などの熱伝導性の高い材料で形成されている。
【００３１】
緑色レーザ光源装置２２は、側方に向けて突出した状態で筐体４１に形成された取付部４２に取り付けられている。この取付部４２は、リレー光学系２７の収容スペースの前方と側方にそれぞれ位置する前壁部４３と側壁部４４とが交わる角部から側壁部４４に直交する向きに突出した状態で設けられている。赤色レーザ光源装置２３は、ホルダ４５に保持された状態で側壁部４４の外面側に取り付けられている。青色レーザ光源装置２４は、ホルダ４６に保持された状態で前壁部４３の外面側に取り付けられている。
【００３２】
赤色レーザ光源装置２３および青色レーザ光源装置２４は、いわゆるＣＡＮパッケージで構成され、レーザ光を出力するレーザチップが、ステムに支持された状態で缶状の外装部の中心軸上に光軸が位置するように配置されたものであり、外装部の開口に設けられたガラス窓からレーザ光が出射される。この赤色レーザ光源装置２３および青色レーザ光源装置２４は、ホルダ４５，４６に開設された取付孔４７，４８に圧入するなどしてホルダ４５，４６に対して固定される。青色レーザ光源装置２４および赤色レーザ光源装置２３のレーザチップの発熱は、ホルダ４５，４６を介して筐体４１に伝達されて放熱され、各ホルダ４５，２６は、アルミニウムや銅などの熱伝導率の高い材料で形成されている。
【００３３】
緑色レーザ光源装置２２は、励起用レーザ光を出力する半導体レーザ５１と、半導体レーザ５１から出力された励起用レーザ光を集光する集光レンズであるＦＡＣ（Fast-Axis Collimator）レンズ５２およびロッドレンズ５３と、励起用レーザ光により励起されて基本レーザ光（赤外レーザ光）を出力する固体レーザ素子５４と、基本レーザ光の波長を変換して半波長レーザ光（緑色レーザ光）を出力する波長変換素子５５と、固体レーザ素子５４とともに共振器を構成する凹面ミラー５６と、励起用レーザ光および基本波長レーザ光の漏洩を阻止するガラスカバー５７と、各部を支持する基台５８と、各部を覆うカバー体５９と、を備えている。
【００３４】
この緑色レーザ光源装置２２は、基台５８を筐体４１の取付部４２に取り付けて固定され、緑色レーザ光源装置２２と筐体４１の側壁部４４との間に所要の幅（例えば０．５ｍｍ以下）の間隙が形成される。これにより、緑色レーザ光源装置２２の熱が赤色レーザ光源装置２３に伝わりにくくなり、赤色レーザ光源装置２３の昇温を抑制して、温度特性の悪い赤色レーザ光源装置２３を安定的に動作させることができる。また、赤色レーザ光源装置２３の所要の光軸調整代（例えば０．３ｍｍ程度）を確保するため、緑色レーザ光源装置２２と赤色レーザ光源装置２３との間に所要の幅（例えば０．３ｍｍ以上）の間隙が設けられている。
【００３５】
図３は、緑色レーザ光源装置２２におけるレーザ光の状況を示す模式図である。半導体レーザ５１のレーザチップ６１は、波長８０８ｎｍの励起用レーザ光を出力する。ＦＡＣレンズ５２は、レーザ光のファースト軸（光軸方向に対して直交し且つ図の紙面に沿う方向）の拡がりを低減する。ロッドレンズ５３は、レーザ光のスロー軸（図の紙面に対して直交する方向）の拡がりを低減する。
【００３６】
固体レーザ素子５４は、いわゆる固体レーザ結晶であり、ロッドレンズ５３を通過した波長８０８ｎｍの励起用レーザ光により励起されて波長１０６４ｎｍの基本波長レーザ光（赤外レーザ光）を出力する。この固体レーザ素子５４は、Ｙ（イットリウム）ＶＯ４（バナデート）からなる無機光学活性物質（結晶）にＮｄ（ネオジウム）をドーピングしたものであり、より具体的には、母材であるＹＶＯ４のＹに蛍光を発する元素であるＮｄ＋３に置換してドーピングしたものである。
【００３７】
固体レーザ素子５４におけるロッドレンズ５３に対向する側には、波長８０８ｎｍの励起用レーザ光に対する反射防止と、波長１０６４ｎｍの基本波長レーザ光および波長５３２ｎｍの半波長レーザ光に対する高反射の機能を有する膜６２が形成されている。固体レーザ素子５４における波長変換素子５５に対向する側には、波長１０６４ｎｍの基本波長レーザ光および波長５３２ｎｍの半波長レーザ光に対する反射防止の機能を有する膜６３が形成されている。
【００３８】
波長変換素子５５は、いわゆるＳＨＧ（Second Harmonics Generation）素子であり、固体レーザ素子５４から出力される波長１０６４ｎｍの基本波長レーザ光（赤外レーザ光）の波長を変換して波長５３２ｎｍの半波長レーザ光（緑色レーザ光）を生成する。
【００３９】
波長変換素子５５における固体レーザ素子５４に対向する側には、波長１０６４ｎｍの基本波長レーザ光に対する反射防止と、波長５３２ｎｍの半波長レーザ光に対する高反射の機能を有する膜６４が形成されている。波長変換素子５５における凹面ミラー５６に対向する側には、波長１０６４ｎｍの基本波長レーザ光および波長５３２ｎｍの半波長レーザ光に対する反射防止の機能を有する膜６５が形成されている。
【００４０】
凹面ミラー５６は、波長変換素子５５に対向する側に凹面を有し、この凹面には、波長１０６４ｎｍの基本波長レーザ光に対する高反射と、波長５３２ｎｍの半波長レーザ光に対する反射防止の機能を有する膜６６が形成されている。これにより、固体レーザ素子５４の膜６２と凹面ミラー５６の膜６６との間で、波長１０６４ｎｍの基本波長レーザ光が共振して増幅される。
【００４１】
波長変換素子５５では、固体レーザ素子５４から入射した波長１０６４ｎｍの基本波長レーザ光の一部が波長５３２ｎｍの半波長レーザ光に変換され、変換されずに波長変換素子５５を通過した波長１０６４ｎｍの基本波長レーザ光は、凹面ミラー５６で反射されて波長変換素子５５に再度入射し、波長５３２ｎｍの半波長レーザ光に変換される。この波長５３２ｎｍの半波長レーザ光は、波長変換素子５５の膜６４で反射されて波長変換素子５５から出射される。
【００４２】
ここで、固体レーザ素子５４から波長変換素子５５に入射して波長変換素子５５で波長変換されて波長変換素子５５から出射されるレーザ光のビームＢ１と、凹面ミラー５６で一旦反射されて波長変換素子５５に入射して膜６４で反射されて波長変換素子５５から出射されるレーザ光のビームＢ２とが互いに重なり合う状態では、波長５３２ｎｍの半波長レーザ光と波長１０６４ｎｍの基本波長レーザ光とが干渉を起こして出力が低下する。
【００４３】
そこでここでは、波長変換素子５５を光軸方向に対して傾斜させて、入射面および出射面での屈折作用により、レーザ光のビームＢ１、Ｂ２が互いに重なり合わないようにして、波長５３２ｎｍの半波長レーザ光と波長１０６４ｎｍの基本波長レーザ光との干渉を防ぐようにしており、これにより出力低下を避けることができる。
【００４４】
なお、図２に示したガラスカバー５７には、波長８０８ｎｍの励起用レーザ光および波長１０６４ｎｍの基本波長レーザ光が外部に漏洩することを防止するため、これらのレーザ光を透過しない膜が形成されている。
【００４５】
図４は、画像表示装置１を示す斜視図であり、図４（Ａ）に、可動体１２を筐体１１内に格納した格納状態を、図４（Ｂ）に、可動体１２を筐体１１から引き出した使用状態をそれぞれ示している。
【００４６】
可動体１２を構成する光学エンジンユニット１３および制御ユニット１４の両側縁には、筐体１１内に設けられた図示しないガイドレールに沿ってスライドするスライダ７１，７２が設けられており、使用者による押し引き操作で可動体１２が筐体１１に出し入れされる。なお、この他に筐体１１内には、可動体１２を格納位置に保持するために、図示しないラッチロックが設けられている。
【００４７】
光学エンジンユニット１３と制御ユニット１４とはヒンジ部７３を介して連結されている。図４（Ｂ）に示す使用状態では、制御ユニット１４が筐体１１のガイドレールに支持される一方で、光学エンジンユニット１３は筐体１１から完全に抜け出し、矢印Ａで示すように、制御ユニット１４に対して光学エンジンユニット１３が回動可能となっている。なお、光学エンジンユニット１３は、図示するように制御ユニット１４に沿った位置から、制御ユニット１４に対して略直立した位置まで回動可能となっている。
【００４８】
光学エンジンユニット１３におけるヒンジ部７３と相反する側の端部には出射窓７４が設けられており、この出射窓７４から図２に示した投射光学系２８を通過したレーザ光が出射される。これにより図１に示したように、光学エンジンユニット１３を回動させることで、レーザ光の投写角度を調整することができる。
【００４９】
また、図４（Ｂ）に示したように、制御ユニット１４の上面には、操作部８１が設けられている。この操作部８１には、電源用の操作ボタン（操作部）８２と、輝度切り替え用の操作ボタン８３と、台形補正用の２つの操作ボタン８４，８５と、が設けられている。このように制御ユニット１４に操作ボタン８２〜８５が設けられているため、操作する際に操作ボタン８２〜８５がぐらつかず、操作ボタン８２〜８５の操作が容易になる。
【００５０】
操作部８１は、図４（Ａ）に示す格納状態で筐体１１に覆われるとともに、図４（Ｂ）に示す使用状態では露出する位置に設けられている。これにより、使用状態となって初めて操作ボタン８２〜８５が操作可能となり、操作ボタン８２〜８５が他の物と接触するなどして操作ボタン８２〜８５が誤操作されることを避けることができる。
【００５１】
図５は、画像表示装置１の概略構成を示すブロック図である。画像表示装置１の制御部１０１は、各色のレーザ光源装置２２〜２４を制御するレーザ光源制御部１０２と、情報処理装置２から入力される映像信号に基づいて光変調素子２５を制御する光変調素子制御部１０３と、情報処理装置２から供給される電力をレーザ光源制御部１０２および光変調素子制御部１０３に供給する電源部１０４と、各部を総括的に制御する主制御部１０５と、を有している。この制御部１０１は、図４に示した制御ユニット１４に設けられている。
【００５２】
また、図５に示したように、この画像表示装置１は、可動体１２が筐体１１から引き出された使用状態でオンとなる第１のスイッチ１０６と、使用者による操作ボタン８２の操作に応じてオンとなる第２のスイッチ１０７と、を有している。第１のスイッチ１０６および第２のスイッチ１０７の出力信号は主制御部１０５に入力され、主制御部１０５にて、第１のスイッチ１０６および第２のスイッチ１０７の出力信号に基づいて、レーザ光の出射の可否が判定される。
【００５３】
ここでは、第１のスイッチ１０６および第２のスイッチ１０７がともにオンとなる場合に、レーザ光源装置２２〜２４からのレーザ光の出射が許可され、レーザ光源制御部１０２から各色のレーザ光源装置２２〜２４に駆動信号が出力されてレーザ光源装置２２〜２４からレーザ光が出射される。
【００５４】
図６は、使用を開始する際の第１のスイッチ１０６および第２のスイッチ１０７の出力信号の状況を示すタイミング図である。使用者が可動体１２を引き出すと、まず第１のスイッチ１０６がオンとなり、ついで使用者が操作ボタン８２を操作すると、第２のスイッチ１０７がオンとなり、このタイミングで、第１のスイッチ１０６および第２のスイッチ１０７がともにオンとなるため、レーザ光の出射が開始される。
【００５５】
図７は、画像表示装置１を分解して示す斜視図である。図８は、第１のスイッチ１０６を示す斜視図であり、図８（Ａ）に、第１のスイッチ１０６のオン状態を、図８（Ｂ）に、第１のスイッチ１０６のオフ状態をそれぞれ示している。
【００５６】
図７に示すように、第１のスイッチ１０６は、可動体１２を構成する制御ユニット１４の側縁部に接触するように設けられており、筐体１１に対する可動体１２の出し入れ動作に伴って、制御ユニット１４に接触する接触子１１１が動作するのに応じてオンオフされる。
【００５７】
具体的には、図８に示すように、第１のスイッチ１０６は２つの接触子１１１を備えている。この接触子１１１は、スイッチ本体１１２に出没自在に設けられ、図示しないばねで突出方向に付勢されている。一方、制御ユニット１４には、第１のスイッチ１０６の接触子１１１に当接する当接部１１３が側縁部に沿って設けられており、当接部１１３が接触子１１１と整合する位置に移動すると、当接部１１３により接触子１１１が押し込まれる。
【００５８】
ここでは、図８（Ａ）に示すように、２つの接触子１１１の両方が押し込まれていない状態で第１のスイッチ１０６がオンとなり、図８（Ｂ）に示すように、２つの接触子１１１の両方が押し込まれた状態で第１のスイッチ１０６がオフとなる。
【００５９】
図７に示したように、第１のスイッチ１０６は、筐体１１における可動体１２の出し入れ方向の略中心位置に配置されている。したがって、可動体１２を筐体１１内に格納した格納状態では、制御ユニット１４の当接部１１３が第１のスイッチ１０６の２つの接触子１１１の両方を押し込んた状態となり、第１のスイッチ１０６はオフとなる。一方、可動体１２を筐体１１から引き出した使用状態では、制御ユニット１４の当接部１１３は第１のスイッチ１０６の接触子１１１から離れた位置となるため、第１のスイッチ１０６はオンとなる。これにより、可動体１２が筐体１１から引き出されたことを確実に検知することができる。
【００６０】
以上のように、可動体１２が筐体１１から引き出された使用状態でオンとなる第１のスイッチ１０６と、使用者による操作ボタン８２の操作に応じてオンとなる第２のスイッチ１０７と、を設けることで、可動体１２が筐体１１から引き出された使用状態で操作ボタン８２が操作された場合にのみ、レーザ光が出射される。このため、異物の挟み込みなどにより操作ボタン８２が誤操作されても、レーザ光が出射されることはなく、不使用時にレーザ光が出射されることを確実に防止することができる。
【００６１】
なお、前記の例では、図５に示したように、第１のスイッチ１０６および第２のスイッチ１０７の出力信号がともに主制御部１０５に入力されるように構成したが、第１のスイッチ１０６は、制御部１０１への給電を断続する電源スイッチとして構成し、第２のスイッチ１０７の出力信号のみが主制御部１０５に入力されるようにしてもよい。
【００６２】
また、ここでは、本発明による画像表示装置１をノート型の情報処理装置２に内蔵した例を示したが、他の携帯型の情報端末装置などに内蔵することも可能である。さらに、画像表示装置を、画像信号を出力する情報端末装置と別体の装置として構成し、情報端末装置とケーブルで接続するようにしてもよい。
【産業上の利用可能性】
【００６３】
本発明にかかる画像表示装置は、不使用時にスイッチが誤ってオンとなってレーザ光が出射されることを確実に防止することができる効果を有し、光源に半導体レーザを用いた画像表示装置、特に携帯型の電子機器に内蔵する画像表示装置などとして有用である。
【符号の説明】
【００６４】
１  画像表示装置
２  情報処理装置
１１  筐体
１２  可動体
１３  光学エンジンユニット（第１のユニット）
１４  制御ユニット（第２のユニット）
２２  緑色レーザ光源装置
２３  赤色レーザ光源装置
２４  青色レーザ光源装置
２５  光変調素子
２８  投射光学系
７３  ヒンジ部
８２  操作ボタン（操作部）
１０１  制御部
１０６  第１のスイッチ
１０７  第２のスイッチ
１１１  接触子
【要約】
【課題】不使用時にスイッチが誤ってオンとなってレーザ光が出射されることを確実に防止することができるようにする。
【解決手段】可動体１２が筐体１１から引き出された使用状態でオンとなる第１のスイッチ１０６と、使用者による操作ボタン８２の操作に応じてオンとなる第２のスイッチと、を有し、第１のスイッチおよび第２のスイッチがともにオンとなる場合に、レーザ光源装置からレーザ光が出射されるようにする。
【選択図】図７【図１】
0004719306.tif 000002
【図２】
0004719306.tif 000003
【図３】
0004719306.tif 000004
【図４】
0004719306.tif 000005
【図５】
0004719306.tif 000006
【図６】
0004719306.tif 000007
【図７】
0004719306.tif 000008
【図８】
0004719306.tif 000009